(57)【特許請求の範囲】
【請求項１】
細長い長方形の不織布を用意し、その長辺に直交する方向で該長方形を二分する折り目に沿って折り畳み、そして該折り目を含む不織布の一部を切除して把手および封止片を形成し、次に前記長方形の長辺であった辺に沿って該不織布を糸により縫合して袋の側部を作成し、縫合した該側部を内側に折り返し、把手および封止片に対向する辺に沿って糸により縫合して袋の底部を作成し、そして得られた袋を裏返して製造することにより、樹脂製の不織布が樹脂製の糸で袋状に縫製され且つ把手が二重の不織布から構成された樹脂不織布買物袋であって、
前記不織布および前記糸がポリエステル、ポリプロピレンまたはアクリル樹脂であって、双方とも同一種の且つ実質的に無着色の樹脂材料からなり、更に着色された識別札を袋に付設してなることを特徴とする樹脂不織布買物袋。
【発明の詳細な説明】
【０００１】
【発明の属する技術分野】
本発明は、購入した商品を持ち返るための買物袋に関する。詳しくは、繰り返し使用可能であり、軽量かつコンパクトで、さらにリサイクルが容易な樹脂不織布買物袋に関する。
【０００２】
【従来の技術】
現在、顧客がスーパー等の小売店で購入した商品を持ち返る手段として、無料で配布される樹脂フィルム製買物袋が主に使用されている。そして中でも広範囲に使用されているのは、低密度ポリエチレンのフィルムを溶着することにより製造した買物袋である。ところで、一回商品を詰め手提げると、樹脂フィルムが延伸して買物袋が裂けたり変形したりしてしまい、従って樹脂フィルム製買物袋はほとんどの場合において使い捨てで使用されている。
【０００３】
しかしながら、樹脂フィルムは石油を原料として製造されるものであるので、樹脂フィルム製買物袋の使い捨ては、埋蔵量が限定されている貴重な石油資源の浪費に繋がる。また、樹脂フィルム製買物袋を焼却により処分すると、ダイオキシン等の有害なガスの発生源となる。さらに、樹脂フィルム製買物袋の燃焼の際に生じる高熱は、地球温暖化の原因となるのみならず、焼却炉の損傷を招く恐れもあることが知られている。以上のような理由から、樹脂フィルム製買物袋の使い捨てによる使用は環境保全・資源節約の観点より非常に好ましくない。
【０００４】
そこで最近、小売店では、上記の問題を解決するために、今まで無料で配布していた買物袋を有料にする、買物袋が必要でない人には現金と引き換えることができるスタンプやクーポンを発行する等の方法により、顧客自身が買物袋を持参することを推奨している。しかしながら、従来、買物袋として使用されている布製の袋は厚手で嵩張りまた決して軽量とは言えず、携帯には適していなかった。さらに相当に高価でもあった。それ故買物袋の持参は、現在に至るまで普及していないのが実状である。
【０００５】
【発明が解決しようとする課題】
従って、繰り返し使用することができ、軽量かつコンパクトで携帯に適しており、さらにより望ましくは、リサイクルが容易である買物袋の提供が切望されている。
【０００６】
【課題を解決するための手段】
本発明者等は上記の課題に基づいて鋭意開発を行った結果、樹脂製の不織布を樹脂製の糸で袋状に縫製して製造した買物袋であって、該不織布および該糸の原料を同一の樹脂材料とした樹脂不織布買物袋により上記の課題が解決されることを見出して本発明を完成させた。
従って、本発明は、
細長い長方形の不織布を用意し、その長辺に直交する方向で該長方形を二分する折り目に沿って折り畳み、そして該折り目を含む不織布の一部を切除して把手および封止片を形成し、次に前記長方形の長辺であった辺に沿って該不織布を糸により縫合して袋の側部を作成し、縫合した該側部を内側に折り返し、把手および封止片に対向する辺に沿って糸により縫合して袋の底部を作成し、そして得られた袋を裏返して製造することにより、樹脂製の不織布が樹脂製の糸で袋状に縫製され且つ把手が二重の不織布から構成された樹脂不織布買物袋であって、
前記不織布および前記糸がポリエステル、ポリプロピレンまたはアクリル樹脂であって
、双方とも同一種の且つ実質的に無着色の樹脂材料からなり、更に着色された識別札を袋に付設してなることを特徴とする樹脂不織布買物袋に関する。
【０００７】
本発明の樹脂不織布買物袋は、延伸され易くまた非常に薄い樹脂フィルムではなく、ある程度の厚みと強度を有する樹脂製の不織布から製造されるので、従来品と比較して各段に引裂きや変形に強く、最低でも５回、通常は１０〜２０回程度、繰り返して使用することが可能である。
しかし一方で、樹脂製であることに変わりは無いため本発明の樹脂不織布買物袋は軽量であり、しかもコンパクトに折畳むこともできる。
さらに、樹脂不織布買物袋を構成する不織布と糸とは共に同じ樹脂材料からなるので、原料毎に分別すること無しにリサイクルを行うことができる。
【０００８】
現在の技術においてリサイクルが容易であり、かつ不織布および糸に成形することが容易な樹脂材料としては、ポリエステル、ポリプロピレンまたはアクリル樹脂が挙げられる。
よって、本発明はまた、
前記樹脂材料はポリエステル、ポリプロピレンまたはアクリル樹脂であることを特徴とする前記樹脂不織布買物袋
にも関する。
【０００９】
本発明の樹脂不織布買物袋が実質的に着色されていない場合、リサイクルの際にリサイクル材を脱色する工程を省くことができる。
従って、本発明はさらに、
実質的に無着色であることを特徴とする前記樹脂不織布買物袋
に関する。
【００１０】
しかしながら、識別、宣伝等を目的として樹脂不織布買物袋に何らかの文字、記号等を表示することが必要となる場合がある。樹脂不織布買物袋自体に着色することは上述したようにリサイクルの際の脱色を必要として好ましくないので、そのような場合には、樹脂不織布買物袋に識別札を設け、そしてその識別札に文字、記号等を表示するのが好ましい。該識別札を除去してリサイクルに供することにより、リサイクル系への着色剤の混入を避けることができ、リサイクル材の脱色は同様に省くことが可能である。
従って、本発明は
着色された識別札を備えることを特徴とする前記樹脂不織布買物袋
にも関する。なお、前記識別札および識別札を樹脂不織布買物袋に縫付けるために使用する糸の原料もまた、樹脂不織布買物袋を構成する不織布および糸と同じ樹脂材料であることが好ましい。
【００１１】
【発明の実施の形態】
以下に図面を参照して本発明をより詳細に説明する。図１は、本発明の樹脂不織布買物袋のある態様を図示する斜視図であり、そして図２（ａ）〜（ｃ）は、本発明の樹脂不織布買物袋の製造過程の一例を図示する模式図である。
【００１２】
本発明の樹脂不織布買物袋１は、ポリエステル製の不織布２をポリエステル製の糸３により袋状に縫製してなる。樹脂不織布買物袋１は例えば、図２（ａ）〜（ｃ）に図示するようにして製造される。図２に図示する方法では、先ず細長い長方形の不織布２を用意し、その長辺に直交する方向で該長方形を二分する折り目に沿って折畳む（図２（ａ）参照）。そして折畳んだ不織布２の折り目を含む一部（図２（ａ）において斜線で示す部分）を切除して、把手４および封止片５を形成する。次に、長方形の長辺であった辺に沿って不織布２を糸３によって縫合し、樹脂不織布買物袋１の側部とする（図２（ｂ）参照）。そして、把手４を二重の不織布２から構成するために、また完成した樹脂不織布買物袋１にまちを設けるために、縫合した不織布２の両側を内側に折り返し（例えば、図２（ｂ）の線Ａおよび線Ａ’に沿って）、把手４および封止片５に対向する辺に沿って不織布２を糸３によって縫合して樹脂不織布買物袋１の底部とする（図２（ｃ）参照）。このように袋状に縫製した後に裏返すと、図１に図示するような樹脂不織布買物袋１を製造することができる。
【００１３】
ポリエステル製の不織布２は樹脂製フィルムのように延伸されず、また荷物の重量に耐えるに十分な引張強さおよび引裂強さを有するので、本発明の樹脂不織布買物袋１は少なくとも５回、通常は１０〜２０回程度、繰り返して使用することができる。またポリエステル製の不織布２は軽量であり、しかもコンパクトに折畳むこと、並びに折畳み後に再展開して元の形状に戻すことも容易であるので、本発明の樹脂不織布買物袋１は携帯にも大変適している。
【００１４】
本実施例の樹脂不織布買物袋１は、共にポリエステルからなる不織布２および糸３により製造される。原料が同一であるため、リサイクルの際に不織布２と糸３とを分別する必要が無く、そのままリサイクル工程に送ることができ、樹脂不織布買物袋１のリサイクルは非常に容易である。
本実施例では不織布２および糸３の原料としてポリエステルを用いたが、不織布２および糸３の原料である樹脂材料は特に制限されるものではない。しかし、リサイクルの容易さ、不織布および糸への成形性等の面から、ポリエステル、ポリプロピレン、アクリル樹脂を例示することができる。特に、ポリエステルが好ましい。
【００１５】
本発明の樹脂不織布買物袋１は実質的に無着色であることが好ましい。樹脂不織布買物袋１が無着色である場合には、リサイクル材を脱色する工程が不要となり、リサイクルをさらに容易にすることができる。しかしながら、樹脂不織布買物袋１を配布する小売店の識別、宣伝等のため、樹脂不織布買物袋１に文字、記号等を表示することやむをえない場合には、樹脂不織布買物袋１に識別札６を設けて、識別札６に必要な着色を行うことが好ましい。識別札６についてのみ着色すると、リサイクルの際に識別札６を除去することにより、リサイクル系への着色剤の混入を防止することができる。
【００１６】
本発明の樹脂不織布買物袋１にはさらに、小物入れである小袋７、樹脂不織布買物袋１を折畳んだ状態のまま維持するための係止片８、係止片８に設けられたスナップ等である係止具９等を備えることができる。これらの付加的な部材を設けたときも、全ての部材を同一種の樹脂材料から構成するか、少なくとも異なる原料から形成した部材については容易に取り外すことができるように構成することが好ましい。省資源化の面から特に好ましいのは、小袋７および係止片８を樹脂不織布買物袋１の製造の際に切除した不織布２（図２（ａ）において斜線で示す部分）から製造することである。
【００１７】
【発明の効果】
本発明の樹脂不織布買物袋は樹脂製の不織布よりなるため、樹脂フィルム製の買物袋のように脆弱でなく、繰り返しの使用に十分に耐えることができる。また軽量でかつ折畳むこともできるので、非常に携帯し易く、買物袋の持参についての煩わしさを大幅に減ずることが可能である。さらに、本発明の樹脂不織布買物袋を構成する部材は全て同じ原料からなるため、そのリサイクルは大変容易である。
本発明の樹脂不織布買物袋の実際の使用は、例えば、小売店で買物袋を販売し、数回にわたって使用した後、同じ小売店で回収し、そして再び買物袋にリサイクルすることからなる。このような循環システムを確立することにより、資源を浪費することなく、また焼却処分をも要しないので、従って、本発明の樹脂不織布買物袋の使用は、環境保全・資源節約の観点にから非常に好ましい。
【図面の簡単な説明】
【図１】  図１は、本発明の樹脂不織布買物袋のある態様を図示する斜視図である。
【図２】  図２（ａ）〜（ｃ）は、本発明の樹脂不織布買物袋の製造過程を図示する模式図である。
【符号の説明】
１    樹脂不織布買物袋
２    不織布
３    糸
４    把手
５    封止片
６    識別札
７    小袋
８    係止片
９    係止具
【図１】
0003959674.tif 000002
【図２】
0003959674.tif 000003